(57)【要約】  【課題】  簡易な構成で誤読を防止して確実な読み取りにより作業時間を短縮するとともに物品に負荷を加えることによるトラブルを防止する二次元コード表示装置、およびこの二次元コード表示装置を搭載した光ファイバ配線盤を提供することにある。  【解決手段】  コードリーダが読み取る二次元コードを表示する二次元コード表示部２と、この二次元コード表示部２の読み取り位置までコードリーダ読み取り部を誘導する読み取りガイド３と、を備える二次元コード表示装置１とした。また、この二次元コード表示装置１を搭載した光ファイバ配線盤とした。【選択図】  図１
2005250707.tif 000002
【特許請求の範囲】
【請求項１】
コードリーダが読み取る二次元コードを表示する二次元コード表示装置であって、
二次元コード表示部と、
二次元コード表示部の読み取り位置までコードリーダ読み取り部を誘導する読み取りガイドと、
を備えることを特徴とする二次元コード表示装置。
【請求項２】
請求項１に記載の二次元コード表示装置において、
前記読み取りガイドは略四角錐台形状の誘導凹部であり、コードリーダ読み取り部の外形は略四角錐台形状の誘導凸部であることを特徴とする二次元コード表示装置。
【請求項３】
請求項１または請求項２に記載の二次元コード表示装置は、
二次元コード表示部が同一面に一または複数形成される台座と、
四角錐台形状の貫通孔が一または複数形成される板状の誘導板と、
からなり、台座の上に誘導板が取り付けられ、貫通孔、台座および二次元コード表示部により読み取りガイドを形成することを特徴とする二次元コード表示装置。
【請求項４】
請求項１〜請求項３の何れか一項に記載の二次元コード表示装置は、光ファイバ接続部の近傍に配置されることを特徴とする二次元コード表示装置。
【請求項５】
請求項１〜請求項４の何れか一項に記載の二次元コード表示装置を光ファイバ収容ユニットに搭載したことを特徴とする光ファイバ配線盤。
【発明の詳細な説明】
【技術分野】
【０００１】
本発明は、配線作業の手間の低減を図る二次元コード表示装置、および、この二次元コード表示装置を搭載した光ファイバ配線盤に関する。
【背景技術】
【０００２】
光ファイバ配線盤では多数の光ファイバ接続部が設けられている。これら光ファイバ接続部は、例えば回線の出元・行先などが明示されていないと、後に配線作業を行う場合に問題が生ずるおそれがある。そこで個々の光ファイバ接続部についての回線などの各種情報を表示するため、表示部を設けることが一般的に行われている。
このような表示部の従来技術として、最も一般的に行われているものは、例えば光ファイバ接続部に所定事項を筆記具で書き込むような直接的な表示であったり、または、光ファイバ接続部に所定事項を書き込んだ名札を取り付けるような間接的な表示もある。
【０００３】
また、表示の他の従来技術として、例えば、特許文献１（発明の名称：コネクタ付きコード及びその識別記号読取り方法）に記載された従来技術では、コネクタ付きコード（光コード）のブーツ部分に表示部を設けて識別記号を表示すると共に、前記ブーツ部分を着脱可能としたものであり、この識別記号としては、一次元バーコード、二次元バーコード（いわゆるＱＲコード）を含むものが開示されている。これは上記した直接的な表示に該当する。
【０００４】
また、特許文献２（発明の名称：光ファイバの識別印字方法）または特許文献３（発明の名称：光ファイバ心線の識別記号読取方法及び読取装置）に開示された従来技術では、二次元コードを印刷したタグを光ファイバ心線に取り付ける場合の印字方法や、二次元コードリーダによる読み取り方法に関するものである。
【０００５】
【特許文献１】特開２０００−２７７２１２号公報（段落番号００１８，図２）
【特許文献２】特開２０００−１０８４１４号公報（図４）
【特許文献３】特開平１１−３５３４５４号公報（図３）
【発明の開示】
【発明が解決しようとする課題】
【０００６】
上記した従来技術の間接的な表示では、情報が必要とされる物品に取り付けられた表示札など、情報が不安定な部分に記載されていることが多い。このため表示部の読み取りにあたってはスムーズな読み取りが不可能な場合が多く、指等による支えと読み取り機器等の接触による負荷が繰り返し加わって、物品にトラブルが発生するおそれがあり、さらには繰り返し作業により読み取り時間が長く、無駄が多かった。
【０００７】
また、特許文献１において開示された直接的な表示による構成では、表示部がブーツ部分に設けられるが、光ファイバ接続コネクタがマトリクス状に配列されると、中側の多数の光ファイバ接続コネクタは外側の光ファイバ接続コネクタに隠れて見えなくなり、このブーツ部分も当然に見えなくなって表示部が見づらくなるという問題があった。これはコードリーダで読む場合も同様であった。
【０００８】
また、特許文献２，３において開示された構成では、二次元コードリーダが離れた位置にある二次元コードを読むようになされているが、二次元コードの視野の決定が簡単ではなかった。二次元コードが連続的に配置されると隣接する二次元コードと見分けにくいことにより、隣接する二次元コードを誤読するおそれがあった。
仮にこれら問題点を考慮して二次元コードに接触または接触に近い状態で二次元コードリーダを配置して認識するようにしても、二次元コードリーダの滑りや揺れにより二次元コードの誤読が発生するおそれがあった。
【０００９】
そこで、本発明は、上記の課題を解決するためになされたものであり、その目的は、簡易な構成で誤読を防止して確実な読み取りにより作業時間を短縮するとともに物品に負荷を加えることによるトラブルを防止する二次元コード表示装置、およびこの二次元コード表示装置を搭載した光ファイバ配線盤を提供することにある。
【課題を解決するための手段】
【００１０】
本発明の請求項１に係る二次元コード表示装置は、
コードリーダが読み取る二次元コードを表示する二次元コード表示装置であって、
二次元コード表示部と、
二次元コード表示部の読み取り位置までコードリーダ読み取り部を誘導する読み取りガイドと、
を備えることを特徴とする。
【００１１】
また、本発明の請求項２に係る二次元コード表示装置は、
請求項１に記載の二次元コード表示装置において、
前記読み取りガイドは略四角錐台形状の誘導凹部であり、コードリーダ読み取り部の外形は略四角錐台形状の誘導凸部であることを特徴とする。
【００１２】
また、本発明の請求項３に係る二次元コード表示装置は、
請求項１または請求項２に記載の二次元コード表示装置は、
二次元コード表示部が同一面に一または複数形成される台座と、
四角錐台形状の貫通孔が一または複数形成される板状の誘導板と、
からなり、台座の上に誘導板が取り付けられ、貫通孔、台座および二次元コード表示部により読み取りガイドを形成することを特徴とする。
【００１３】
また、本発明の請求項４に係る二次元コード表示装置は、
請求項１〜請求項３の何れか一項に記載の二次元コード表示装置は、光ファイバ接続部の近傍に配置されることを特徴とする。
【００１４】
本発明の請求項５に係る光ファイバ配線盤は、
請求項１〜請求項４の何れか一項に記載の二次元コード表示装置を光ファイバ収容ユニットに搭載したことを特徴とする。
【発明の効果】
【００１５】
以上のような本発明によれば、簡易な構成で誤読を防止して確実な読み取りにより作業時間を短縮するとともに物品に負荷を加えることによるトラブルを防止する二次元コード表示装置、およびこの二次元コード表示装置を搭載した光ファイバ配線盤を提供することができる。
【発明を実施するための最良の形態】
【００１６】
本発明を実施するための最良の形態について図に基づき以下に説明する。図１は本形態の二次元コード表示装置の構成図であり、図１（ａ）は正面図、図１（ｂ）は側面図である。
二次元コード表示装置１は、図１で示すように二次元コード表示部２、読み取りガイド３を備える。
【００１７】
二次元コード表示部２は、一つまたは複数の二次元コードを表示する。例えば、図１（ａ）で示すように複数行複数列のマトリクス状の表示部であっても良く、また、図示しないが単体の表示部であっても良い。なお、二次元コードは各種規格が存在し、具体的にはマトリクス方式のＱＲコード、Ｄａｔａ  Ｍａｔｒｉｘ、Ｍａｘｉ  Ｃｏｄｅや、スタックドバーコード方式のＰＤＦ４１７を採用することができる。本形態では説明の具体化のためＱＲコードであるとして説明する。
読み取りガイド３は、後述するが二次元コード表示部２の読み取り位置までコードリーダ読み取り部６を誘導する機能を有しており（図２Ａ，図２Ｂ参照）、一つの二次元コード表示部２に対して一つ設けられる。
【００１８】
このような読み取りガイド３について説明する。図２Ａはコードリーダ読み取り部の載置前の状態図である。図２Ｂはコードリーダ読み取り部の載置後の状態図である。
読み取りガイド３は、図２Ａ，図２Ｂで示すように誘導板４と台座５により形成される。この誘導板４は、ガイド本体４ａと貫通孔４ｂとを備える。
【００１９】
誘導板４は、例えば板状のガイド本体４ａに貫通孔４ｂを形成したものであり、例えば、合成樹脂によりモールド成形するなどして一括して形成する。
台座５は、例えば金属・合成樹脂等で形成された板状の台座であったり、または後に詳述するが、図４，図５で示すように、略コ字状の台座としても良い。
このような誘導板４が台座５の上に取り付けられると、貫通孔４ｂが台座５により一方の開口がふさがれることで読み取りガイド３を形成する。この読み取りガイド３はコードリーダ読み取り部６の外形形状に合わせたものであり、本形態では四角錐台形状の誘導凸部であるコードリーダ読み取り部６の外形形状に合致させるため、読み取りガイド３は四角錐台形状の誘導凹部である。このため、貫通孔４ｂの開口面積が大きい方が誘導板４の表側となり、逆に貫通孔４ｂの開口面積が小さい方が誘導板４の裏側となる。
【００２０】
続いて、このような二次元コード表示装置１の使用について図を参照しつつ説明する。
コードリーダ読み取り部６の読み取り面を二次元コード表示部１の上方から読み取りガイド３に近づけて、図２Ａで示すように、コードリーダ読み取り部６の読み取り面を読み取りガイド３の開口面まで到達させる。先に説明したように読み取りガイド３の表側の開口面積が大きいため、四角錐台形状の誘導凸部であるコードリーダ読み取り部６が、簡単に読み取りガイド３の四角錐台形状の誘導凹部内へ誘導される。
そして、最終的に図２Ｂで示すようにコードリーダ読み取り部６の読み取り面が二次元コード表示部２の表示面上に到達し、台座５に接触して停止する。この状態では滑りや揺れを抑えてコードリーダは確実に二次元コードを読みとれるため、コードリーダの位置ずれ等に起因する読み誤りが発生するおそれは殆どなくなる。
【００２１】
なお、本発明の二次元コード表示装置１は、各種の変形形態が可能である。図３Ａはシールによる二次元コード表示部を用いる二次元コード表示装置の拡大図であり、図３Ａ（ａ）は読み取りガイドの拡大平面図、図３Ａ（ｂ）は読み取りガイドのＡ−Ａ線断面図である。図３Ｂは紙面による二次元コード表示部を用いる二次元コード表示装置の拡大図であり、図３Ｂ（ａ）は読み取りガイドの拡大平面図、図３Ｂ（ｂ）は読み取りガイドのＡ−Ａ線断面図である。
二次元コード表示装置１は、図３Ａで示すように、コード毎に個々に印刷されるシールである二次元コード表示部２を用いるものであっても良い。この場合、台座５の上側に誘導板４を配置して接着剤・ネジ等により固着一体化させ、読み取りガイド３を形成する。続いてシールである二次元コード表示部２を読み取りガイド３の底にある台座５の上に貼付する。このようにして二次元コード表示装置１を製作する。
または、台座５の上側の所定位置にシールである二次元コード表示部２を貼り付ける。そして、位置合わせをしながら誘導板４を配置して接着剤・ネジ等により固着一体化させる。このようにして二次元コード表示装置１を製作しても良い。
【００２２】
さらに二次元コード表示装置１は、図３Ｂで示すように、一枚の紙面に複数の二次元コードがまとめて印刷される二次元コード表示部２を用いるものであっても良い。
このような二次元コード表示装置１は、台座５の上側に二次元コード表示部２を配置し、さらに二次元コード表示部２の上側に誘導板４を配置して挟持一体化させる。例えば、接着剤等で台座５、二次元コード表示部２および誘導板４を順次貼り合わせた構造を採用しても良い。
または、台座５に二次元コード表示部２を貼り合わせ、さらに誘導板４は台座５の四隅にネジ等で締結して固定するようにしても良い。
【００２３】
また二次元コード表示装置１の他の変形形態として台座５が異なる形状を採用することができる。図４〜図６は略コ字状の台座を有する二次元コード表示装置１の説明図である。例えば、先に説明した板状の台座５を、図４で示すように略コ字状の台座５とすることができる。このような二次元コード表示装置１を、図５で示すように、複数並べて配置されたアダプタ７に一括して取り付けることができる。このアダプタ７は、例えば、光コードの接続コネクタ（図示せず）が挿通される接続部であって、アダプタ７の接続コネクタについての情報が二次元コードとして登録される。
【００２４】
また、更に他の形態の二次元コード表示装置１として、図６で示すように単体のアダプタ７に一個の二次元コード表示装置１を挟持固定するようにしても良い。
このように二次元コード表示装置１は各種形態が可能であるが、被取り付け対象へ二次元コード表示装置１を取り付けるための取り付け部については、例えば、単に接着剤・ネジなどの各種の構成を採用することも可能である。また、二次元コード表示部２の数、並び方なども適宜選択することが可能である。
【００２５】
続いて、本発明の二次元コード表示装置１の使用形態について図を参照しつつ説明する。図７は光ファイバ配線盤の外観図である。図８は光ファイバ配線盤の内観図であり、図８（ａ）が右側面図、図８（ｂ）がキャビネット扉を取り去った内観図である。図９Ａは融着ユニットの平面構成図、図９Ｂは融着ユニットの二次元コード表示装置１の説明図である。図１０Ａはコネクタユニットの平面構成図、図１０Ｂはコネクタユニットの二次元コード表示装置１の説明図である。
【００２６】
光ファイバ配線盤１０の外観は、図７で示すように、キャビネット１１により覆われており、また図８で示すように、キャビネット１１の内側部では、光ファイバ接続収容ユニットである融着ユニット１５、コネクタユニット１７が収納されている。融着ユニット１５、コネクタユニット１７は同一形状のユニットが多段に積層された状態で収納されている。
【００２７】
この光ファイバ配線盤１０は、図７，図８で示すように、キャビネット１１の底面・平面・左右両側面には導入口１２が設けられており、光ファイバケーブル１３は、所望の導入口１２（図７，図８では向かって右側の底面）から挿通されて、キャビネット１１の下側に集中配置される融着ユニット１５まで延線され、融着ユニット１５（図９Ａ参照）の中の所定の融着トレイ１５ａに配線される。この融着トレイ１５ａでは、光ファイバケーブル１３がクランプ部１５ｂで挟まれるように固定される。
【００２８】
この光ファイバケーブル１３にはＵＶ樹脂で被覆された複数のテープ心線１３ａが納められ、さらに、１本のテープ心線には、２本または４本の心線が納められている。以下、２心のテープ心線または４心のテープ心線を一括して、単にテープ心線という。
光ファイバケーブル１３からは、複数のテープ心線１３ａが引き出される。引き出されたテープ心線１３ａの余長は、収納スペースである余長収容部１５ｃにおいて巻線状態で収納される。そしてこれらテープ心線１３ａとキャビネット内光コード１６とが接続される。キャビネット内光コード１６は、特にキャビネット内で使用されるために準備されるものである。
【００２９】
テープ心線１３ａの端部とキャビネット内光コード１６の端部とにおいて、ホットメルトによりガラス製の光ファイバを融着接続し、さらに接続部はプラスチック製の融着スリーブ２０（図９Ｂ参照）により被覆保護される。この融着スリーブ２０は、融着トレイ１５ａ上で立設する２つの突部により挟まれて、保持固定される。
【００３０】
キャビネット内光コード１６は、この融着トレイ１５ａから外部に出て、図８で示すコネクタユニット１７まで延線され、コネクタユニット１７の中の所定のコネクタトレイ１７ａへ配線される。キャビネット内光コード１６の先端は、コネクタ２１（図１０Ｂ参照）に取り付けられている。このコネクタ２１の他端は、高張力繊維ビニールにより被覆されている光ファイバコード１４へ接続されている。光ファイバコード１４は、導入口（図８（ｂ）では、向かって右側の右側面）から導出されて、局内の各地へ延線される。光ファイバケーブル配線盤１０はこのように構成される。
【００３１】
このような融着ユニット１５において、二次元コード表示装置１が図９Ｂで示すように融着スリーブ２０（本発明の光ファイバ接続部の具体例である）の近傍に配置される。これにより複数の融着スリーブ２０それぞれについて各種情報が記載された二次元コード表示部２を割り当てることで、各種項目を登録できる。項目は、例えば、融着作業時にコードリーダによりどのような性質の線であるかを示す情報（例えば、１２３４というコードＮｏ、東京−千葉線という各種の回線名、重要・普通という種別、○○ビルという行き先、運用中停止中という状態、○○社という施工担当、作業日時などが含まれる。）である。この情報項目は適宜選択できる。
【００３２】
同様にコネクタユニット１７において、二次元コード表示装置１が図１０Ｂで示すようにコネクタ２１（本発明の光ファイバ接続部の他の具体例である）の近傍に配置される。これにより複数のコネクタ２１それぞれについて各種情報が記載された二次元コードを割り当てることにより、コネクタ毎に各種項目を登録できる。項目は、例えば、上記した項目と同じである。
【００３３】
以上本実施形態の二次元コード表示装置１について説明した。また、この二次元コード表示装置１は光ファイバ配線盤１０のように接続部が多数あるような装置に適用するのが好適であることについて説明した。
しかしながら、二次元コード表示装置１は、例えばメタルケーブルの配線盤のように各種装置に採用することが可能である。
【図面の簡単な説明】
【００３４】
【図１】本発明を実施するための最良の形態の二次元コード表示装置の構成図であり、図１（ａ）は正面図、図１（ｂ）は側面図である。
【図２Ａ】コードリーダ読み取り部の載置前の状態図である。
【図２Ｂ】コードリーダ読み取り部の載置後の状態図である。
【図３Ａ】シールによる二次元コード表示部を用いる二次元コード表示装置の拡大図であり、図３Ａ（ａ）は読み取りガイドの拡大平面図、図３Ａ（ｂ）は読み取りガイドのＡ−Ａ線断面図である。
【図３Ｂ】紙面による二次元コード表示部を用いる二次元コード表示装置の拡大図であり、図３Ｂ（ａ）は読み取りガイドの拡大平面図、図３Ｂ（ｂ）は読み取りガイドのＡ−Ａ線断面図である。
【図４】略コ字状の台座を有する二次元コード表示装置の説明図である。
【図５】略コ字状の台座を有する二次元コード表示装置の説明図である。
【図６】略コ字状の台座を有する二次元コード表示装置の説明図である。
【図７】光ファイバ配線盤の外観図である。
【図８】光ファイバ配線盤の内観図であり、図８（ａ）が右側面図、図８（ｂ）がキャビネット扉を取り去った内観図である。
【図９Ａ】融着ユニットの平面構成図である。
【図９Ｂ】融着ユニットの二次元コード表示装置の説明図である。
【図１０Ａ】コネクタユニットの平面構成図である。
【図１０Ｂ】コネクタユニットの二次元コード表示装置の説明図である。
【符号の説明】
【００３５】
１：二次元コード表示装置
２：二次元コード表示部
３：読み取りガイド（誘導凹部）
４：誘導板
４ａ：ガイド本体
４ｂ：貫通孔
５：台座
６：コードリーダ読み取り部（誘導凸部）
７：アダプタ
１０：光ファイバ配線盤
１１：キャビネット
１２：導入口
１３：光ファイバケーブル
１３ａ；テープ心線
１４：光ファイバコード
１５：融着ユニット
１５ａ：融着トレイ
１５ｂ：クランプ部
１５ｃ：余長収容部
１６：キャビネット内光コード
１７：コネクタユニット
１７ａ：コネクタトレイ
２０：融着スリーブ
２１：コネクタ
【図１】
2005250707.tif 000003
【図２Ａ】
2005250707.tif 000004
【図２Ｂ】
2005250707.tif 000005
【図３Ａ】
2005250707.tif 000006
【図３Ｂ】
2005250707.tif 000007
【図４】
2005250707.tif 000008
【図５】
2005250707.tif 000009
【図６】
2005250707.tif 000010
【図７】
2005250707.tif 000011
【図８】
2005250707.tif 000012
【図９Ａ】
2005250707.tif 000013
【図９Ｂ】
2005250707.tif 000014
【図１０Ａ】
2005250707.tif 000015
【図１０Ｂ】
2005250707.tif 000016